(57)【要約】【課題】  貴金属装身具の石留め部分は特にデザインも無く、宝石を留めるのが一般的であり、あまり美観も良くなかったので、製作容易でかつ美観の優れた宝石保持具を提供すること。【解決手段】  ペンダント、指輪、イヤリング、ピアス、ブローチ、カフス等に使用される宝石１を保持する宝石保持具２の先端３にイニシャル、数字、模様、文字、図形、記号を一体的に形成した複数の爪５を設け宝石保持具２とする。この構成により爪の先端３の複数の爪で宝石１を確実に保持すると共に、先端３のイニシャル等の表示力により意思や気持ちなどの情報の伝達手段としての機能を備え、若しくはジュエリーを装着しながらメッセージ的な表現もでき、デザインのバリエーションが広がりかつユニークなデザインの装飾性に富んだ宝石保持具２となっている。【選択図】図１
0003143250.tif 000002
【実用新案登録請求の範囲】
【請求項１】
宝石の外周を把持するようにして該宝石を留める宝石保持具において、前記外周に複数の保持部を設け該保持部の先端にイニシャル、数字、模様、文字、図形、記号から成る爪を一体的に形成したことを特徴とする宝石保持具。
【請求項２】
請求項１の記載の宝石保持具において、前記保持部が根元から先端部まで、同じ形状で形成されたことを特徴とする宝石保持具。
【考案の詳細な説明】
【技術分野】
【０００１】  本考案は、ペンダント、指輪、イヤリング、ピアス、ブローチ、カフス等の装身具に関し、更に詳しくはダイヤモンドなどのカット宝石の宝石保持具の先端部にイニシャル、数字、模様、文字、図形、記号を一体的に形成した宝石保持具に関するものである。
【背景技術】
【０００２】  一般に、各種の宝石類にとって、宝石保持具の多くは、宝石を保持、固定するための複数の爪をかしめ、宝石を保持、固定していた。【０００３】  従来から、プラチナ、金、シルバー等の貴金属により形成したペンダント、指輪等の装身具に宝石を石留めする手法には多種多様なものがあるが、爪留め、伏せ込み留め、彫り留め、レール留め等が良くしられている。
【考案の開示】
【考案が解決しようとする課題】
【０００４】  ところが、宝石は主にクラウン部に、爪留めする手法が一般的で、ただの止め具であり、これらの場合、宝石類に関してその爪の配置や大きさによっては宝石の光の透過の邪魔等になるものがあり、そのようなものは美観もあまり良くなかった。【０００５】  本考案は、これらの欠点を解決し、ペンダント指輪、イヤリング、ピアス、ブローチ、カフス等に使用される宝石を保持する宝石保持具の先端部にイニシャル、数字、模様、文字、図形、記号を一体的に形成した保持具で宝石類を留め、保持力を低下させることなく又宝石の輝きを最大限引き出し見栄えの良い宝石保持具を提供するものである。
【課題を解決するための手段】
【０００６】  本考案は、かかる課題を解決し、ペンダント、指輪、イヤリング、ピアス、ブローチ、カフス等の宝石保持具に関して宝石類を保持、固定する保持具の先端部にイニシャル、数字、模様、文字、図形、記号を一体的に形成した保持具で宝石類を保持する事により極めてデザイン的に優れ、美観も良い。【０００７】  本考案は、かかる課題を解決し、ペンダント、指輪、イヤリング、ピアス、ブローチ、カフス等の宝石保持具に関して宝石類を保持、固定する保持具の先端部にイニシャル、数字、模様、文字、図形、記号を一体的に形成した保持具で宝石類を確実に保持し外れることがなく、宝石のカットされた面を十分露呈させる。この宝石保持具は一体的に形成せれているので強度的信頼性があると共に装飾性を高める。
【考案の効果】
【０００８】  宝石は主にクラウン部に、爪留めする手法が一般的で、ただの止め具であり、これらの場合、宝石類に関してその爪の配置や大きさによって宝石の光の透過の邪魔等になるものであり、美観もあまり良くなかったが、爪先端が飾りになる宝石保持具を提供できる。【０００９】  宝石保持具の先端部にイニシャル、数字、模様、文字、図形、記号を一体的に形成された宝石保持具にすることにより、デザインのバリエーションが広がりかつユニークなデザインの宝飾品を提供できる。【００１０】  従って、極めて審美性の高い宝石を提供できることになる。
更には任意の宝石の種類の組み合わせ等も行えることとなり、装飾の幅を広げることも可能とする。【００１１】  本考案は宝石保持具によれば、宝石本体を支持する宝石保持具の先端部に宝飾物からなる保持部材が設けられているので、宝石本体のみならず宝石本体の周囲に装飾性効果を持たせると共に意思や気持ちなどの情報の伝達手段としての機能を備え、もしくはジュエリーを装着しながらメッセージ的な表現も出来る宝飾品を提供できる。
【考案を実施するための最良の形態】
【００１２】  本考案は、ペンダント、指輪、イヤリング、ピアス、ブローチ、カフス等に使用される宝石を保持する宝石保持具の先端部にイニシャル、数字、模様、文字、図形、記号を一体的に形成した宝石保持具に関するものである。
以下、本考案の実施の形態について図面を使用し説明をする。【００１３】  本実施の形態の宝石保持具は、宝石保持具２の根元から爪の先端３まで同じイニシャル等の形で形成された宝石保持具２で宝石１を固定している。【００１４】  更に、この宝石保持具２は、次のように作用する。
本実施の形態の宝石保持具２を示す図１、２、３、４、は、クラウン６に当接する宝石保持具２とガードル７とパビリオン８に当接する当接部９で形成され、宝石保持具２と対面する当接部９で挟着・固定しているため、宝石の動き、緩みがなく、確実に宝石を保持し外れることがない。【００１５】  本実施の形態の宝石保持具２は、宝石１を保持するもので爪全体の形状が円弧状であるが、これに限定されず楕円状、四角状、三角状、ハート型状等が適宜採用され、宝石１を保持すると共に、一層宝石のカットされた面を十分露呈させ、美しさをより強調した斬新なデザインで見栄えをよくする。【００１６】  本実施の形態の宝石保持具２は、熟練した技術や特殊な工具を必要とせずジュエリーキャドシステムにより誰でも短時間で製作作業が可能な宝石保持具２を提供できる。【００１７】  また、爪の先端３の形状や大きさはデザイナーの感性により無限に広がるものであり、使用される爪の数量もデザインに応じて変化するため限定されるものではない。【００１８】  以上のように本考案の実施の形態を説明したが、本考案の範囲はこれに限定されるものではない。例えば、石留めに使用される石は、貴石、半貴石、化石、合成石、ガラス等、を使用することも可能である。更には、貴金属装身具母体と爪に使用される素材も、貴金属に限られるのではなく、銅、鉄、真鋳、ステンレス、などの金属や合金等、を使用することも可能である。
【図面の簡単な説明】
【図１】実施例に係るペンダントを斜めにした状態の全体斜視図である。
【図２】本考案に係る宝石保持具に宝石を保持させた宝石装身具の一実施の形態を示した正面図である。
【図３】本考案の宝石保持具の側面図である。
【図４】図２のＡ−Ａ線沿う宝石保持具の断面図である。
【符号の説明】
１  宝石
２  宝石保持具
３  爪の先端
４  宝石保持枠
５  爪
６  クラウン
７  ガードル
８  パビリオン
９  当接部
【図１】
0003143250.tif 000003
【図２】
0003143250.tif 000004
【図３】
0003143250.tif 000005
【図４】
0003143250.tif 000006